(57)【要約】【課題】  食器洗い機収容部と物品収容部とを備えた食器洗い機用キャビネットにおける給水管および排水管と接続用配管との接続作業が容易になる食器洗い機用キャビネットの配管構造を提供すること。【解決手段】  外部から物品収容部２３内に延びてくる給水管２７と排水管２８とのそれぞれの先端部２７ａ，２８ａを、水平方向に延ばし、その先端部２７ａ，２８ａを、それぞれ接続用配管３１，３２を介して食器洗い機２１に接続した。また、給水管２７と排水管２８との先端部２７ａ，２８ａが直交するように互いに異なる方向に向かって延ばした。さらに、食器洗い機用キャビネット２０における食器洗い機収容部２２の上方に、引き出し収容部２４を設けた。【選択図】  図５
2007075475.tif 000002
【特許請求の範囲】
【請求項１】
食器洗い機を収容する食器洗い機収容部の下方に所定の物品を収容する物品収容部が形成され、前記食器洗い機収容部の後部と前記物品収容部の後部とが連通された食器洗い機用キャビネットの配管構造であって、
外部から前記物品収容部内に延びてくる給水管と排水管とのそれぞれの先端側部分を、略水平方向に延びる水平部に形成して、その水平部の先端部を、それぞれ接続用配管を介して前記食器洗い機に接続したことを特徴とする食器洗い機用キャビネットの配管構造。
【請求項２】
前記給水管と前記排水管との水平部が互いに異なる方向に向かって延びている請求項１に記載の食器洗い機用キャビネットの配管構造。
【請求項３】
前記食器洗い機用キャビネットにおける前記食器洗い機収容部の上方に、引き出しを収容するための引き出し収容部が設けられた請求項１または２に記載の食器洗い機用キャビネットの配管構造。
【発明の詳細な説明】
【技術分野】
【０００１】
本発明は、食器洗い機を収容する食器洗い機収容部の下方に所定の物品を収容する物品収容部が形成された食器洗い機用キャビネットの配管構造に関する。
【背景技術】
【０００２】
従来から、キッチンユニットとして、シンクや加熱装置が設けられたカウンターと並んで食器洗い機を収容する食器洗い機収容部を備えた食器洗い機用キャビネットを設けたものがある（例えば、特許文献１参照）。この食器洗い機用キャビネットは、シンクを備えた流し台の横に設置されたフロアキャビネットの上部に、前面を流し台側に向けて設置されており、食器洗い機用キャビネットの上部には、さらにウォールキャビネットが設置されている。また、食器洗い機用キャビネットと、外部から延びる給水管および排水管は、フロアキャビネットの内部を通りフロアキャビネットと食器洗い機用キャビネットとの間に形成された開口部を通過する接続用配管を介して接続されている。
【特許文献１】特開平９−３０８５３６号公報
【発明の開示】
【０００３】
しかしながら、前述した従来の食器洗い機用キャビネットでは、フロアキャビネットの高さが流し台の高さと同じに設定され、その上に食器洗い機用キャビネットが設置され、さらにその上にウォールキャビネットが設置されているため、キャビネットが大型化するという問題がある。このため、流し台と同じ高さの食器洗い機用キャビネットにおける食器洗い機収容部の上下にそれぞれ所定の物品を収容するための収容部を設けて小型化した食器洗い機キャビネットもある。しかしながら、これによると、食器洗い機収容部の下方に設けた収容部の高さが低いため、給水管および排水管と、接続用配管との接続作業がし難くなるという問題が生じる。
【０００４】
本発明は、前述した問題に対処するためになされたもので、その目的は、食器洗い機収容部と物品収容部とを備えた食器洗い機用キャビネットにおける給水管および排水管と接続用配管との接続作業が容易になる食器洗い機用キャビネットの配管構造を提供することである。
【０００５】
前述した目的を達成するため、本発明に係る食器洗い機用キャビネットの配管構造の構成上の特徴は、食器洗い機を収容する食器洗い機収容部の下方に所定の物品を収容する物品収容部が形成され、食器洗い機収容部の後部と物品収容部の後部とが連通された食器洗い機用キャビネットの配管構造であって、外部から物品収容部内に延びてくる給水管と排水管とのそれぞれの先端側部分を、略水平方向に延びる水平部に形成して、その水平部の先端部を、それぞれ接続用配管を介して食器洗い機に接続したことにある。
【０００６】
前記のように構成した本発明の食器洗い機用キャビネットの配管構造では、給水管および排水管における接続用配管に接続される部分が略水平方向に延びる水平部に形成されている。これによって、給水管および排水管と接続用配管との接続作業が容易になる。すなわち、食器洗い機収容部の下方に設けた物品収容部の高さが十分でない場合には、給水管および排水管に、接続用配管を接続するための取付け用工具の操作等がし難くなるが、給水管および排水管の先端部に水平部を設けることにより、この問題が解消される。
【０００７】
また、本発明に係る食器洗い機用キャビネットの配管構造のさらに他の構成上の特徴は、給水管と排水管との水平部が互いに異なる方向に向かって延びていることにある。これによると、例えば、給水管と接続用配管とを接続するときにスパナ等の工具を用いてナット締めを行い、排水管と接続用配管とを接続するときにはホースジョイント等を用いて差し込んで接続する作業を行う場合には、排水管と接続用配管とを接続した後であっても給水管と接続用配管とを接続するための工具を用いての作業が可能となるような方向に給水管と排水管の水平部の向きを設定することにより、給水管と排水管の作業順序の制約を無くすことができる。
【０００８】
また、本発明に係る食器洗い機用キャビネットの配管構造のさらに他の構成上の特徴は、食器洗い機用キャビネットにおける食器洗い機収容部の上方に、引き出しを収容するための引き出し収容部が設けられたことにある。本発明のようにして食器洗い機用キャビネットの配管構造を構成することにより、食器洗い機収容部の上方に引き出し収容部を設けることができるようになり、これによって、使い勝手のよい食器洗い機用キャビネットを得ることができる。
【発明を実施するための最良の形態】
【０００９】
以下、本発明の一実施形態に係る食器洗い機用キャビネットの配管構造を図面を用いて詳しく説明する。図１は、同実施形態に係る食器洗い機用キャビネットの配管構造を備えたキッチンユニット１０を示しており、このキッチンユニット１０は台所に設けられている。また、このキッチンユニット１０は、キッチンユニット本体１１を備えており、キッチンユニット本体１１は、ガスキャビネット１２、食器洗い機用キャビネット２０およびシンクキャビネット１３を備えている。そして、キッチンユニット本体１１の本体部分は、図２に示したユニット本体１１ａと、ユニット本体１１ａの上部に配置されたカウンター１１ｂとで構成されている。
【００１０】
また、ガスキャビネット１２の上部におけるカウンター１１ｂの部分には、ガスレンジ１２ａが設けられ、シンクキャビネット１３の上部におけるカウンター１１ｂの部分には、水栓１３ａを備えたシンク１３ｂが設けられている。そして、壁面１４におけるガスレンジ１２ａの上方には、排気装置１５が設けられ、排気装置１５の横には壁面１４に沿ってウォールキャビネット１６が設けられている。
【００１１】
また、ユニット本体１１ａの略中央部は、食器洗い機２１を設置するための食器洗い機収容部２２等に形成され、ユニット本体１１ａにおける食器洗い機収容部２２等の両側部分には、収容部１７ａ，１７ｂが形成されている。そして、収容部１７ａ，１７ｂの両内側面にガイドレール部１８ａ，１８ｂ（ともに一方しか図示せず）が形成され、このガイドレール部１８ａ，１８ｂに各種の引き出し１９ａ，１９ｂ等が、前方に引き出し可能に配置されている。
【００１２】
また、食器洗い機用キャビネット２０における食器洗い機収容部２２の下方に物品収容部２３が形成され、食器洗い機収容部２２の上方に引き出し収容部２４が形成されている。食器洗い機収容部２２と物品収容部２３との間には、食器洗い機２１を載せるための設置台２５が設けられており、物品収容部２３の両内側面にガイドレール部２３ａ（一方しか図示せず）が形成されている。そして、このガイドレール部２３ａに引き出し２３ｂが、前方に引き出し可能に配置されている。
【００１３】
また、設置台２５の前後方向の長さは、食器洗い機用キャビネット２０の奥行きの長さよりも短くなっており、設置台２５の後部側で、食器洗い機収容部２２と物品収容部２３とが連通している。そして、食器洗い機用キャビネット２０における食器洗い機収容部２２と引き出し収容部２４との境界部の両側部には、ガイドレール部２４ａ（一方しか図示せず）が形成され、このガイドレール部２４ａに、引き出し２４ｂが前方に引き出し可能に配置されている。
【００１４】
また、キッチンユニット１０が設置される床面部２６における食器洗い機用キャビネット２０に対応する部分には、図３に示したように、外部から延びてくる給水管２７と排水管２８とが間隔を保って突出している。給水管２７は、床面２６から上方に向かって延びたのちに本発明の水平部としての先端部２７ａが前方（キッチンユニット１０の前面側）に向かって水平方向に延びている。
【００１５】
そして、先端部２７ａの略中央外周面に止水栓２７ｂが設けられ、先端部２７ａの先端に後述する接続用配管を固定するためのナット部を供えた締め付け固定部２７ｃが設けられている。また、排水管２８は、床面２６から上方に向かって延びたのちに本発明の水平部としての先端部２８ａが給水管２７の直立部分に向かって水平方向に延びている。そして、先端部２８ａの先端に後述する接続用配管を固定するための固定部２８ｂが設けられている。また、壁面２６ａには、コンセント２６ｂが設けられている。
【００１６】
キッチンユニット本体１１は、図４に示したように、床面２６から立ち上がった給水管２７と排水管２８との先端側部分を物品収容部２３内に位置させた状態で、床面２６上に設置される。そして、図５に示したように、食器洗い機２１を食器洗い機収容部２２に入れて、設置台２５上に載せたのちに、食器洗い機２１の後部に取り付けられたフレキシブルホースからなる接続用配管３１を給水管２７に接続する。また、同様に、図６に示したように、フレキシブルホースからなる接続用配管３２を排水管２８に接続する。
【００１７】
この場合、例えば、まず、図示しないホースジョイント等を備えた接続用配管３２の先端部を排水管２８の固定部２８ｂに差し込み、図示しないホースバンド等で締め付けることにより接続用配管３２と排水管２８との接続を行う。つぎに、接続用配管３１の先端部を給水管２７の締め付け固定部２７ｃに接続し、スパナで締め付け固定部２７ｃのナット部を締め付けることにより接続用配管３１と給水管２７との接続を行う。この際、接続用配管３１の先端部は、前方水平方向を向いた状態になり、排水管２８はその後方に位置するため、接続作業の邪魔にならない。
【００１８】
このように、本実施形態に係る食器洗い機用キャビネットの配管構造では、給水管２７および排水管２８における接続用配管３１，３２に接続される先端部２７ａ，２８ａが水平方向を向いているため、給水管２７および排水管２８とそれぞれ対応する接続用配管３１，３２との接続作業が容易になる。また、給水管２７と排水管２８との先端部２７ａ，２８ａが直交するようにして互いに異なる方向に向かって延びているため、スパナを用いて締め付け固定部２７ｃのナット部を締める場合に、排水管２８と接続用配管３２が邪魔になることがない。さらに、食器洗い機用キャビネット２０の下部に物品収容部２３を設け、上部に引き出し収容部２４を設けたため、多数の物品を収容することができ、食器洗い機用キャビネット２０の使い勝手がよくなる。
【００１９】
図７は、本発明の他の実施形態に係る給水管３７と排水管３８の配置を示している。この実施形態では、給水管３７と排水管３８とは、床面３６でなく壁面３６ａから間隔を保って前方に突出している。すなわち、給水管３７は、壁面３６ａから前方に向かって水平方向に延びている。また、排水管３８は、壁面３６ａから前方に向かって水平に延びたのちに先端部３８ａが横方向の給水管３７に向かって水平方向に延びている。そして、この床面３６上に、前述したキッチンユニット１０が設置される。キッチンユニット１０のキッチンユニット本体１１は、壁面３６ａから突出した給水管３７と排水管３８の先端側部分を物品収容部２３内に位置させた状態で、床面３６上に設置される。
【００２０】
この給水管３７と排水管３８を備えた食器洗い機用キャビネットの配管構造のそれ以外の部分の構成については、前述した実施形態に係る食器洗い機用キャビネットの配管構造と同一である。したがって、同一部分に同一符号を記して説明は省略する。このように構成したため、給水管３７と排水管３８とが、壁面３６ａを貫通して室内に延びてくる場合の給水管３７および排水管３８と接続用配管３１，３２との接続作業が容易になる。この食器洗い機用キャビネットの配管構造のそれ以外の作用効果については、前述した実施形態の食器洗い機用キャビネットの配管構造と同様である。
【００２１】
また、本発明に係る食器洗い機用キャビネットの配管構造は、前述した実施形態に限定するものでなく、適宜、変更して実施することが可能である。例えば、前述した実施形態では、食器洗い機用キャビネット２０の上部に、引き出し収容部２４を形成し、その引き出し収容部２４内に引き出し２４ｂを設置しているが、この引き出し収容部２４および引き出し２４ｂは省略することができる。また、食器洗い機用キャビネット２０の下部に形成した物品収容部２３内に引き出し２３ｂを設置しているが、この物品収容部２３は、引き出しのないものや、蹴込部分を収容部として含まない引き出しを設置する等、物品収容部２３内の利用は前述した実施形態に限定されるものではない。
【００２２】
さらに、前述した実施形態では、先端部２７ａ，２８ａおよび先端部２７ａ，３８ａが直交するようにしているが、この角度は９０度に限らず、先端部２７ａ，２８ａおよび先端部２７ａ，３８ａが所定の角度で異なる方向を向いていればよく、先端部２７ａを前方から所定角度傾けることによって前方の収納空間をより広く確保することが可能となる。なお、食器洗い機２１は、乾燥機能を備えたいわゆる食器洗い乾燥機でも適応可能であることは勿論である。
【図面の簡単な説明】
【００２３】
【図１】本発明の一実施形態に係る食器洗い機用キャビネットの配管構造を備えたキッチンユニットを示した斜視図である。
【図２】キッチンユニットのユニット本体を示した斜視図である。
【図３】給水管と排水管の配置を示した斜視図である。
【図４】食器洗い機用キャビネットの内部を示した断面図である。
【図５】食器洗い機用キャビネットの食器洗い機収容部に食器洗い機を設置した状態を示した断面図である。
【図６】給水管および排水管と接続用配管との接続状態を示した正面図である。
【図７】他の実施形態に係る給水管と排水管の配置を示した斜視図である。
【符号の説明】
【００２４】
２０…食器洗い機用キャビネット、２１…食器洗い機、２２…食器洗い機収容部、２３…物品収容部、２４…引き出し収容部、２５…設置台、２５ａ…開口部、２７，３７…給水管、２７ａ，２８ａ，３８ａ…先端部、２８，３８…排水管、３１，３２…接続用配管。
【図１】
2007075475.tif 000003
【図２】
2007075475.tif 000004
【図３】
2007075475.tif 000005
【図４】
2007075475.tif 000006
【図５】
2007075475.tif 000007
【図６】
2007075475.tif 000008
【図７】
2007075475.tif 000009